【手続補正書】
【提出日】平成19年1月10日(2007.1.10)
【手続補正１】
【補正対象書類名】明細書
【補正対象項目名】特許請求の範囲
【補正方法】変更
【補正の内容】
【特許請求の範囲】
【請求項１】  （ｉ）配列番号３１に示されるアミノ酸配列を有するヒトアデニンヌクレオチドトランスロケーター１ポリペプチド、（ｉｉ）配列番号３２に示されるアミノ酸配列を有するヒトアデニンヌクレオチドトランスロケーター２ポリペプチド、および（ｉｉｉ）配列番号３３に示されるアミノ酸配列を有するヒトアデニンヌクレオチドトランスロケーター３ポリペプチド、を認識するＰａｎ  ＡＮＴ抗体。
【請求項２】  配列番号３１に示されるアミノ酸配列を有するヒトアデニンヌクレオチドトランスロケーター１ポリペプチドを認識するアイソフォーム特異的抗体。
【請求項３】  配列番号３２に示されるアミノ酸配列を有するヒトアデニンヌクレオチドトランスロケーター２ポリペプチドを認識するアイソフォーム特異的抗体。
【請求項４】  配列番号３３に示されるアミノ酸配列を有するヒトアデニンヌクレオチドトランスロケーター３ポリペプチドを認識するアイソフォーム特異的抗体。
【請求項５】  配列番号３０に示されるアミノ酸配列を有するポリペプチドを含む、Ｐａｎ  ＡＮＴ抗体の調製における使用のためのポリペプチドであって、ここで該Ｐａｎ  ＡＮＴ抗体は、（ｉ）配列番号３１に示されるアミノ酸配列を有するヒトアデニンヌクレオチドトランスロケーター１ポリペプチド、（ｉｉ）配列番号３２に示されるアミノ酸配列を有するヒトアデニンヌクレオチドトランスロケーター２ポリペプチド、および（ｉｉｉ）配列番号３３に示されるアミノ酸配列を有するヒトアデニンヌクレオチドトランスロケーター３ポリペプチド、を認識する、ポリペプチド。
【請求項６】  アデニンヌクレオチドトランスロケーター３アイソフォーム特異的抗体の調製における使用のためのポリペプチドであって、該ポリペプチドは、配列番号３８に示されるアミノ酸配列を有するポリペプチドを含み、ここで該アイソフォーム特異的抗体は、配列番号３３に示されるアミノ酸配列を有するヒトアデニンヌクレオチドトランスロケーター３ポリペプチドを認識する、ポリペプチド。
【請求項７】  アデニンヌクレオチドトランスロケーター２アイソフォーム特異的抗体の調製における使用のためのポリペプチドであって、該ポリペプチドは、配列番号３９に示されるアミノ酸配列を有するポリペプチドを含み、ここで該アイソフォーム特異的抗体は、配列番号３２に示されるアミノ酸配列を有するヒトアデニンヌクレオチドトランスロケーター２ポリペプチドを認識する、ポリペプチド。
【請求項８】  アデニンヌクレオチドトランスロケーター１アイソフォーム特異的抗体の調製における使用のためのポリペプチドであって、該ポリペプチドは、配列番号４０に示されるアミノ酸配列を有するポリペプチドを含み、ここで該アイソフォーム特異的抗体は、配列番号３１に示されるアミノ酸配列を有するヒトアデニンヌクレオチドトランスロケーター１ポリペプチドを認識する、ポリペプチド。
【請求項９】  生物学的試料中のアデニンヌクレオチドトランスロケーター（ＡＮＴ）ポリペプチドの存在を決定する方法であって：
ＡＮＴポリペプチドを含むと疑われる生物学的試料を、ヒトＡＮＴポリペプチドを認識する抗体と、該抗体の該ＡＮＴポリペプチドへの結合を可能にするに十分な条件下および時間の間接触させる工程；および
該抗体の該ＡＮＴポリペプチドへの結合を検出し、そしてそこから、該生物学的試料における該ＡＮＴポリペプチドの存在を決定する工程
を包含し、ここで該抗体は、以下からなる群：
（ａ）（ｉ）配列番号３１に示されるアミノ酸配列を有するヒトアデニンヌクレオチドトランスロケーター１ポリペプチド、（ｉｉ）配列番号３２に示されるアミノ酸配列を有するヒトアデニンヌクレオチドトランスロケーター２ポリペプチド、および（ｉｉｉ）配列番号３３に示されるアミノ酸配列を有するヒトアデニンヌクレオチドトランスロケーター３ポリペプチド、を認識するＰａｎ  ＡＮＴ抗体、
（ｂ）配列番号３１に示されるアミノ酸配列を有するヒトアデニンヌクレオチドトランスロケーター１ポリペプチドを認識するアイソフォーム特異的抗体、
（ｃ）配列番号３２に示されるアミノ酸配列を有するヒトアデニンヌクレオチドトランスロケーター２ポリペプチドを認識するアイソフォーム特異的抗体、
（ｄ）配列番号３３に示されるアミノ酸配列を有するヒトアデニンヌクレオチドトランスロケーター３ポリペプチドを認識するアイソフォーム特異的抗体、
から選択される、方法。
【請求項１０】  前記アデニンヌクレオチドトランスロケーターポリペプチドが、配列番号３１に示されるアミノ酸配列を有するヒトアデニンヌクレオチドトランスロケーター１ポリペプチドである、請求項９に記載の方法。
【請求項１１】  前記アデニンヌクレオチドトランスロケーターポリペプチドが、配列番号３２に示されるアミノ酸配列を有するヒトアデニンヌクレオチドトランスロケーター２ポリペプチドである、請求項９に記載の方法。
【請求項１２】  前記アデニンヌクレオチドトランスロケーターポリペプチドが、配列番号３３に示されるアミノ酸配列を有するヒトアデニンヌクレオチドトランスロケーター３ポリペプチドである、請求項９に記載の方法。
【請求項１３】  生物学的試料からアデニンヌクレオチドトランスロケーター（ＡＮＴ）ポリペプチドを単離する方法であって：
ＡＮＴポリペプチドを含むと疑われる生物学的試料を、ヒトＡＮＴポリペプチドを認識する抗体と、該抗体の該ＡＮＴポリペプチドへの結合を可能にするに十分な条件下および時間の間接触させる工程；および
該ＡＮＴポリペプチドを回収し、そしてそれによって生物学的試料から該ＡＮＴポリペプチドを単離する工程
を包含し、ここで該抗体は、以下からなる群：
（ａ）（ｉ）配列番号３１に示されるアミノ酸配列を有するヒトアデニンヌクレオチドトランスロケーター１ポリペプチド、（ｉｉ）配列番号３２に示されるアミノ酸配列を有するヒトアデニンヌクレオチドトランスロケーター２ポリペプチド、および（ｉｉｉ）配列番号３３に示されるアミノ酸配列を有するヒトアデニンヌクレオチドトランスロケーター３ポリペプチド、を認識するＰａｎ  ＡＮＴ抗体、
（ｂ）配列番号３１に示されるアミノ酸配列を有するヒトアデニンヌクレオチドトランスロケーター１ポリペプチドを認識するアイソフォーム特異的抗体、
（ｃ）配列番号３２に示されるアミノ酸配列を有するヒトアデニンヌクレオチドトランスロケーター２ポリペプチドを認識するアイソフォーム特異的抗体、
（ｄ）配列番号３３に示されるアミノ酸配列を有するヒトアデニンヌクレオチドトランスロケーター３ポリペプチドを認識するアイソフォーム特異的抗体、
から選択される、方法。
【請求項１４】  前記ヒトＡＮＴポリペプチドを認識する抗体が、固相に共有結合している、請求項１３に記載の方法。
【請求項１５】  前記ヒトＡＮＴポリペプチドを認識する抗体が、固相に非共有結合している、請求項１３に記載の方法。
【請求項１６】  （ｉ）配列番号３１に示されるアミノ酸配列を有するヒトアデニンヌクレオチドトランスロケーター１ポリペプチド、（ｉｉ）配列番号３２に示されるアミノ酸配列を有するヒトアデニンヌクレオチドトランスロケーター２ポリペプチド、および（ｉｉｉ）配列番号３３に示されるアミノ酸配列を有するヒトアデニンヌクレオチドトランスロケーター３ポリペプチド、を認識するＰａｎ  ＡＮＴ抗体であって、ここで該Ｐａｎ  ＡＮＴ抗体は、
（ａ）配列番号３０に示されるアミノ酸配列を有するポリペプチドを、キャリア分子に結合させて、結合材料を得る工程、
（ｂ）（ａ）の結合材料でウサギを免疫する工程、および
（ｃ）接種してから少なくとも７週間後に（ｂ）のウサギから採血して、血液中の該Ｐａｎ  ＡＮＴ抗体を得る工程、
によって調製される、Ｐａｎ  ＡＮＴ抗体。
【請求項１７】  配列番号３１に示されるアミノ酸配列を有するヒトアデニンヌクレオチドトランスロケーター１ポリペプチドを認識するアイソフォーム特異的抗体であって、該アイソフォーム特異的抗体は、
（ａ）配列番号４０に示されるアミノ酸配列を有するポリペプチドを、キャリア分子に結合させて、結合材料を得る工程、
（ｂ）（ａ）の結合材料でウサギを免疫する工程、および
（ｃ）接種してから少なくとも７週間後に（ｂ）のウサギから採血して、血液中の該アイソフォーム特異的抗体を得る工程、
によって調製される、アイソフォーム特異的抗体。
【請求項１８】  配列番号３２に示されるアミノ酸配列を有するヒトアデニンヌクレオチドトランスロケーター２ポリペプチドを認識するアイソフォーム特異的抗体であって、該アイソフォーム特異的抗体は、
（ａ）配列番号３９に示されるアミノ酸配列を有するポリペプチドを、キャリア分子に結合させて、結合材料を得る工程、
（ｂ）（ａ）の結合材料でウサギを免疫する工程、および
（ｃ）接種してから少なくとも７週間後に（ｂ）のウサギから採血して、血液中の該アイソフォーム特異的抗体を得る工程、
によって調製される、アイソフォーム特異的抗体。
【請求項１９】  配列番号３３に示されるアミノ酸配列を有するヒトアデニンヌクレオチドトランスロケーター３ポリペプチドを認識するアイソフォーム特異的抗体であって、該アイソフォーム特異的抗体は、
（ａ）配列番号３８に示されるアミノ酸配列を有するポリペプチドを、キャリア分子に結合させて、結合材料を得る工程、
（ｂ）（ａ）の結合材料でウサギを免疫する工程、および
（ｃ）接種してから少なくとも７週間後に（ｂ）のウサギから採血して、血液中の該アイソフォーム特異的抗体を得る工程、
によって調製される、アイソフォーム特異的抗体。